(57)【要約】【課題】  簡易かつ適切に対象領域の変化を検出し、変化に応じた表示制御が可能な表示制御システム等を提供すること。【解決手段】  表示制御システム１１０が、撮像部１３０からの撮像情報に基づいて撮像画像内の判定領域における輝度値の変化の有無を判定する判定部１１４と、輝度値の変化があった場合に画像表示に関する制御を行う制御部１１６とを含んで構成される。【選択図】      図３
2007086154.tif 000002
【特許請求の範囲】
【請求項１】
所定の対象領域を撮像する撮像部からの撮像情報に基づいて撮像画像内の判定領域における輝度値の変化の有無を判定する判定部と、
前記輝度値の変化があった場合に画像表示に関する所定の制御を行う制御部と、
を含む表示制御システムであって、
前記判定部は、少なくとも２つの異なる時点における前記撮像画像内の判定領域における輝度値の差分値が第１の所定値以上の画素数の合計値を求め、当該合計値が第２の所定値以上の場合に前記輝度値の変化があったと判定することを特徴とする表示制御システム。
【請求項２】
請求項１に記載の表示制御システムにおいて、
前記判定領域の位置および大きさの少なくとも一方のユーザーによる指定を示す領域指定情報を入力する入力部を含み、
前記判定部は、前記領域指定情報に基づく前記判定領域における輝度値の変化の有無を判定することを特徴とする表示制御システム。
【請求項３】
請求項２に記載の表示制御システムにおいて、
前記入力部は、ユーザーによる色の指定を示す色指定情報を入力し、
前記判定部は、前記合計値が第２の所定値以上の場合であって、かつ、前記判定領域の色が前記色指定情報に基づく色と適合している場合に前記輝度値の変化があったと判定することを特徴とする表示制御システム。
【請求項４】
請求項１〜３のいずれかに記載の表示制御システムにおいて、
前記画像表示は、投写による画像表示であって、
前記制御部は、前記画像表示のための電源をＯＮにする制御を行うことを特徴とする表示制御システム。
【請求項５】
請求項１〜４のいずれかに記載の表示制御システムにおいて、
前記撮像部は、前記対象領域として、前記画像表示が行われる表示領域の前方の領域を撮像することを特徴とする表示制御システム。
【請求項６】
請求項１〜５のいずれかに記載の表示制御システムと、
前記画像表示を行う投写部と、
を含むことを特徴とする投写型表示装置。
【請求項７】
コンピュータを、
所定の対象領域を撮像する撮像部からの撮像情報に基づいて撮像画像内の判定領域における輝度値の変化の有無を判定する判定部と、
前記輝度値の変化があった場合に画像表示に関する所定の制御を行う制御部として機能させるためのプログラムであって、
前記判定部は、少なくとも２つの異なる時点における前記撮像画像内の判定領域における輝度値の差分値が第１の所定値以上の画素数の合計値を求め、当該合計値が第２の所定値以上の場合に前記輝度値の変化があったと判定することを特徴とするプログラム。
【請求項８】
請求項７に記載のプログラムを記憶したコンピュータ読み取り可能な情報記憶媒体。
【発明の詳細な説明】
【技術分野】
【０００１】
本発明は、表示制御システム、投写型表示装置、プログラムおよび情報記憶媒体に関する。
【背景技術】
【０００２】
特許文献１では、撮像部からの撮像情報に基づき、対象領域における情報提供対象者の集積度および動きの少なくとも一方を把握し、状況に応じて提供する情報を変更する情報提供システムが記載されている。
【０００３】
また、特許文献２、３では、撮像画像内の所定エリアの画素値（輝度値）の積算値または平均値を比較して変化の有無を判定する画像処理システムが記載されている。
【０００４】
このように、撮像情報に基づいて対象領域の変化を検出する種々の画像処理システムが提案されている。
【特許文献１】特開２００２−２８８５０９号公報
【特許文献２】特開２００３−５０５７４号公報
【特許文献３】特願２００４−２６３２４８号公報
【発明の開示】
【発明が解決しようとする課題】
【０００５】
業務用と比べて低速かつ記憶容量の乏しい家庭用の表示装置の場合、簡易かつ適切に対象領域の変化を検出することが必要である。
【０００６】
特に、投写型表示装置の場合、起動指示を出してから画像が適切な輝度になるまでに時間がかかる。このため、リモートコントローラからの起動指示を待つことなく、視聴者が視聴状態になることを予測した時点で起動指示を出す表示制御システムが必要とされている。
【０００７】
さらに、ユーザーの利便性を向上させるためにはユーザーの個々の使用環境に応じて対象領域等が変更可能な表示制御システムが必要とされている。
【０００８】
本発明の目的は、簡易かつ適切に対象領域の変化を検出し、変化に応じた表示制御が可能な表示制御システム、投写型表示装置、プログラムおよび情報記憶媒体を提供することにある。
【課題を解決するための手段】
【０００９】
本発明に係る表示制御システムは、所定の対象領域を撮像する撮像部からの撮像情報に基づいて撮像画像内の判定領域における輝度値の変化の有無を判定する判定部と、
前記輝度値の変化があった場合に画像表示に関する所定の制御を行う制御部と、
を含む表示制御システムであって、
前記判定部は、少なくとも２つの異なる時点における前記撮像画像内の判定領域における輝度値の差分値が第１の所定値以上の画素数の合計値を求め、当該合計値が第２の所定値以上の場合に前記輝度値の変化があったと判定することを特徴とする。
【００１０】
また、本発明に係る投写型表示装置は、上記表示制御システムと、
前記画像表示を行う投写部と、
を含むことを特徴とする。
【００１１】
また、本発明に係るプログラムは、コンピュータを、
所定の対象領域を撮像する撮像部からの撮像情報に基づいて撮像画像内の判定領域における輝度値の変化の有無を判定する判定部と、
前記輝度値の変化があった場合に画像表示に関する所定の制御を行う制御部として機能させるためのプログラムであって、
前記判定部は、少なくとも２つの異なる時点における前記撮像画像内の判定領域における輝度値の差分値が第１の所定値以上の画素数の合計値を求め、当該合計値が第２の所定値以上の場合に前記輝度値の変化があったと判定することを特徴とする。
【００１２】
また、本発明に係る情報記憶媒体は、コンピュータ読み取り可能な情報記憶媒体であって、上記プログラムを記憶したことを特徴とする。
【００１３】
本発明によれば、表示制御システム等は、撮像画像内の判定領域における輝度値の変化に基づいて輝度値の変化の有無を判定することにより、簡易かつ適切に対象領域の変化を検出し、変化に応じた表示制御を行うことができる。
【００１４】
また、前記表示制御システムおよび前記投写型表示装置は、前記判定領域の位置および大きさの少なくとも一方のユーザーによる指定を示す領域指定情報を入力する入力部を含み、
前記判定部は、前記領域指定情報に基づく前記判定領域における輝度値の変化の有無を判定してもよい。
【００１５】
また、前記プログラムおよび前記情報記憶媒体は、前記判定領域の位置および大きさの少なくとも一方のユーザーによる指定を示す領域指定情報を入力する入力部としてコンピュータを機能させ、
前記判定部は、前記領域指定情報に基づく前記判定領域における輝度値の変化の有無を判定してもよい。
【００１６】
これによれば、表示制御システム等は、判定領域の位置および大きさの少なくとも一方をユーザーの指定に応じて調整することができるため、ユーザーの利便性を向上させることができる。
【００１７】
また、前記表示制御システム、前記投写型表示装置、前記プログラムおよび前記情報記憶媒体において、
前記入力部は、ユーザーによる色の指定を示す色指定情報を入力し、
前記判定部は、前記合計値が第２の所定値以上の場合であって、かつ、前記判定領域の色が前記色指定情報に基づく色と適合している場合に前記輝度値の変化があったと判定してもよい。
【００１８】
これによれば、表示制御システム等は、判定領域の輝度値だけでなく、判定領域の色がユーザーによる色指定情報に基づく色と適合しているかどうかも判定することにより、ユーザーの個々の使用環境に応じた判定を行うことができ、ユーザーの利便性を向上させることができる。
【００１９】
また、前記表示制御システム、前記投写型表示装置、前記プログラムおよび前記情報記憶媒体において、
前記画像表示は、投写による画像表示であって、
前記制御部は、前記画像表示のための電源をＯＮにする制御を行ってもよい。
【００２０】
これによれば、表示制御システム等は、一般的に時間のかかる投写による画像表示を行う場合であっても、電源をＯＮにする制御を行うことにより、よりスムーズに画像表示を行うことができる。
【００２１】
また、前記表示制御システム、前記投写型表示装置、前記プログラムおよび前記情報記憶媒体において、
前記撮像部は、前記対象領域として、前記画像表示が行われる表示領域の前方の領域を撮像してもよい。
【００２２】
これによれば、表示制御システム等は、表示領域の前方の変化を捉えることができる。
【発明を実施するための最良の形態】
【００２３】
以下、本発明を投写型表示装置に適用した場合を例に採り、図面を参照しつつ説明する。なお、以下に示す実施形態は、特許請求の範囲に記載された発明の内容を何ら限定するものではない。また、以下の実施形態に示す構成の全てが、特許請求の範囲に記載された発明の解決手段として必須であるとは限らない。
【００２４】
図１は、リビングルーム１０における投写型表示装置１００の配置を示す模式図である。また、図２は、本実施例における投写型表示装置１００の斜視図である。
【００２５】
投写型表示装置１００は、画像を投写することによって画面に画像を表示する投写部１２０と、表示領域の前方の対象領域を撮像する撮像部１３０とを含んで構成されている。
【００２６】
投写型表示装置１００の前方にはソファー２０が配置されている。例えば、リビングルーム１０のドアから人が入り、ソファー２０に座ろうとした場合、投写型表示装置１００は、撮像画像内の判定領域における輝度値の変化の有無を判定することにより、人がソファー２０に座ろうとしたかどうかを判定することができる。
【００２７】
そして、投写型表示装置１００は、撮像画像内の判定領域における輝度値の変化があった場合、電源をＯＮにし、画像を表示する。
【００２８】
一般的に投写型表示装置１００の場合、光源を用いているため、電源をＯＮにしてから画像が適切な輝度になるまで十秒程度の時間がかかる。本実施例によれば、ユーザーがソファー２０に座ってリモートコントラーラーを用いて投写型表示装置１００の電源を入れる場合と比べ、より早く投写型表示装置１００の電源をＯＮにすることができる。これにより、投写型表示装置１００は、ユーザーがソファー２０に座った時点で適切な輝度の画像を表示することができる。
【００２９】
次に、このような機能を実装するための投写型表示装置１００の機能ブロックについて説明する。
【００３０】
図３は、本実施例における投写型表示装置１００の機能ブロック図である。
【００３１】
投写型表示装置１００は、撮像部１３０と、表示制御システム１１０と、投写部１２０とを含んで構成されている。
【００３２】
また、表示制御システム１１０は、ユーザーによる指定情報、画像信号、撮像部１３０からの撮像情報等を入力する入力部１１２と、撮像情報に基づいて撮像画像内の判定領域における輝度値の変化の有無を判定する判定部１１４と、輝度値の変化があった場合に画像表示に関する所定の制御を行う制御部１１６とを含んで構成されている。
【００３３】
なお、これらの各部は、例えば、以下のハードウェアを用いて構成してもよい。
【００３４】
図４は、本実施例における投写型表示装置１００のハードウェアブロック図である。
【００３５】
例えば、撮像部１３０としてはＵＳＢカメラ９３０等、入力部１１２としては入出力ポート９４０等、判定部１１４としては、ＣＰＵ９１０、ＲＡＭ９５０、ＲＯＭ９６０、画像処理回路９７０等、制御部１１６としてはＣＰＵ９１０等、投写部１２０としては液晶パネル９２０等を用いてコンピュータに各部の機能を実装させることができる。
【００３６】
なお、ＣＰＵ９１０等の各部はシステムバス９８０等を介して相互に情報通信することが可能である。また、これらの各部は、その一部または全部を、回路のようにハードウェア的に実装してもよいし、ドライバのようにソフトウェア的に実装してもよい。
【００３７】
さらに、判定部１１４等としてコンピュータを機能させるためのプログラムを記憶した情報記憶媒体９００からプログラムを読み取って判定部１１４等の機能をコンピュータに実装してもよい。
【００３８】
このような情報記憶媒体９００としては、例えば、ＣＤ−ＲＯＭ、ＤＶＤ−ＲＯＭ、ＲＯＭ、ＲＡＭ、ＨＤＤ等を適用でき、そのプログラムの読み取り方式は接触方式であっても、非接触方式であってもよい。
【００３９】
また、情報記憶媒体９００に代えて、上述した各機能を実装するためのプログラム等を、伝送路を介してホスト装置等からダウンロードすることによって上述した各機能を実装することも可能である。
【００４０】
次に、判定部１１４等による表示制御処理の流れについて説明する。
【００４１】
図５は、本実施例における表示制御処理の流れを示すフローチャートである。
【００４２】
入力部１１２は、ユーザーによって指定された判定領域の位置および大きさ（位置、大きさの一方でもよい。）を示す領域指定情報と、ユーザーによって指定された色の指定を示す色指定情報を入力する（ステップＳ１）。
【００４３】
本実施例では、撮像画像が横６４０ドット、縦４８０ドットであり、領域指定情報は、左上の位置が縦１６０ドット、横１２０ドットの位置であり、大きさが撮像画像の４分の１の領域を判定領域として指定する情報であるものとする。これにより、撮像画像の中央付近を判定領域として指定することができる。なお、判定領域の位置や大きさはユーザーが任意に変更することが可能である。
【００４４】
また、色指定情報は、ユーザーの飼っている犬の色である茶色を判定対象から除外することを指定する情報であるものとする。なお、色指定情報としては、判定対象から除外する色を指定する情報だけでなく、判定対象とする色を指定する情報であってもよい。
【００４５】
撮像部１３０は、対象領域を撮像して撮像情報を生成し、入力部１１２は、当該撮像情報を入力する（ステップＳ２）。
【００４６】
判定部１１４は、当該撮像情報に基づき、判定領域を構成する各画素の輝度値を示す輝度データを生成する（ステップＳ３）。
【００４７】
撮像部１３０は、１フレームごとに対象領域を撮像して撮像情報を生成し、入力部１１２は、当該撮像情報を入力する（ステップＳ４）。
【００４８】
判定部１１４は、当該撮像情報に基づき、判定領域を構成する各画素の輝度値を示す輝度データを生成する（ステップＳ５）。
【００４９】
そして、判定部１１４は、最新の輝度データと、１つ前の輝度データの差分値を画素ごとに演算する（ステップＳ６）。
【００５０】
さらに、判定部１１４は、当該差分値が第１の所定値（例えば、輝度値が０〜２５５の値の場合は１００等）以上の画素数の合計値を把握する（ステップＳ７）。
【００５１】
そして、判定部１１４は、当該合計値が第２の所定値（例えば、横３２０ドット、縦２４０ドットの判定領域の場合は１００等）以上かどうかを判定する（ステップＳ８）。
【００５２】
このように、判定部１１４は、差分値が第１の所定値以上の画素数の合計値が第２の所定値以上の場合、判定領域に変化があったものと判定する。
【００５３】
さらに、判定部１１４は、合計値が第２の所定値以上の場合、最新の撮像情報と、色指定情報と、領域指定情報に基づき、判定領域における画像の色が指定の色と適合しているかどうかを判定する（ステップＳ９）。
【００５４】
例えば、判定領域における画像が、壁の白色、ソファー２０の赤色、ユーザーの肌色、ユーザーの髪の黒色、ユーザーが着ているシャツの青色で構成されている場合、除外色の茶色は含まれていないため、判定部１１４は、判定領域における画像の色が指定の色と適合していると判定する。
【００５５】
判定部１１４によって判定領域における画像の色が指定の色と適合していると判定された場合、制御部１１６は、投写部１２０の電源をＯＮにする制御を行う（ステップＳ１０）。
【００５６】
これにより、ユーザーがリビングルーム１０に入り、ソファー２０に近づいた場合、投写型表示装置１００は、自動的に電源をＯＮにすることができる。
【００５７】
なお、合計値が第２の所定値未満の場合や指定の色と適合しない場合、投写型表示装置１００は、ステップＳ４〜Ｓ９の処理を繰り返し実行する。
【００５８】
以上のように、本実施例によれば、投写型表示装置１００は、撮像画像内の判定領域における輝度値の変化に基づいて輝度値の変化の有無を判定することにより、差分画像処理のように像を認識する場合と比べ、より簡易に対象領域の変化を検出することができる。また、投写型表示装置１００は、上述した第１の所定値および第２の所定値を調整することにより、処理を簡略化した場合であっても適切に対象領域の変化を検出することができる。
【００５９】
したがって、投写型表示装置１００は、簡易かつ適切に対象領域の変化を検出し、変化に応じた表示制御を行うことができる。これにより、画像処理能力が低く、記憶容量の小さい投写型表示装置にも表示制御システム１１０等を実装可能である。
【００６０】
また、本実施例によれば、投写型表示装置１００は、判定領域の位置および大きさの少なくとも一方をユーザーの指定に応じて調整することができるため、ユーザーの利便性を向上させることができる。具体的には例えば、ユーザーは、撮像画像内の上半分の領域に判定領域を設定することにより、子供やペット等がソファー２０に近づいた場合は変化を検出せず、ユーザーがソファー２０に近づいた場合のみ変化を検出するように投写型表示装置１００を動作させることができる。
【００６１】
また、投写型表示装置１００は、判定領域を撮像画像よりも小さな領域に設定することにより、画像処理に必要となる記憶領域を低減できる上、処理対象を減らすことによって画像処理効率を向上させることもできる。
【００６２】
また、本実施例によれば、投写型表示装置１００は、判定領域の輝度値だけでなく、判定領域の色がユーザーによる色指定情報に基づく色と適合しているかどうかも判定することにより、ユーザーの個々の使用環境に応じた判定を行うことができ、ユーザーの利便性をさらに向上させることができる。これにより、ペットがソファー２０に近づいた場合は変化を検出せず、ユーザーがソファー２０に近づいた場合のみ変化を検出するように投写型表示装置１００を動作させることができる。
【００６３】
また、本実施例によれば、投写型表示装置１００は、一般的に時間のかかる投写による画像表示を行う場合であっても、電源をＯＮにする制御を行うことにより、よりスムーズに画像表示を行うことができる。
【００６４】
以上、本発明を適用した実施例について説明してきたが、本発明の適用は上述した実施例に限定されず、種々の変形が可能である。
【００６５】
例えば、上述したステップＳ１における判定領域および色の指定やステップＳ９の色の適合性の判定は必須ではなく省略してもよい。
【００６６】
また、上述した実施例では判定領域に変化があった場合、制御部１１６は電源をＯＮにする制御を行ったが、例えば、画像を表示する制御、画像を印刷する制御、元の画像を別の画像に変更する制御等を行ってもよい。
【００６７】
また、対象領域は、投写型表示装置１００の前方に限定されず、例えば、リビングルーム１０のドア部分等であってもよい。また、入力部１１２は、ユーザーによる対象領域を示す対象領域指定情報を入力してもよく、撮像部１３０は当該対象領域指定情報に基づいてユーザーによって指定された対象領域を撮像してもよい。
【００６８】
また、表示制御システム１１０は、例えば、液晶ディスプレイ、プラズマディスプレイ等の投写型表示装置１００以外の表示装置に搭載されてもよい。また、表示制御システム１１０は、表示装置とは別の装置に搭載されてもよい。
【図面の簡単な説明】
【００６９】
【図１】リビングルームにおける投写型表示装置の配置を示す模式図である。
【図２】本実施例における投写型表示装置の斜視図である。
【図３】本実施例における投写型表示装置の機能ブロック図である。
【図４】本実施例における投写型表示装置のハードウェアブロック図である。
【図５】本実施例における表示制御処理の流れを示すフローチャートである。
【符号の説明】
【００７０】
１００  投写型表示装置、１１０  表示制御システム、１１２  入力部、１１４  判定部、１１６  制御部、１２０  投写部、１３０  撮像部
【図１】
2007086154.tif 000003
【図２】
2007086154.tif 000004
【図３】
2007086154.tif 000005
【図４】
2007086154.tif 000006
【図５】
2007086154.tif 000007